(57)【要約】【課題】  マグネットキャッチが開閉ドアー側の磁性板を確実に吸着した状態のとき以外は、安全スイッチがオンしないようにし、開閉ドアーが半ドアー状態で装置本体が稼働可能状態にならないようにする。【解決手段】  画像形成装置から供給された画像転写処理済みの用紙に対して後処理を施す後処理装置１０と、この後処理装置１０に開閉可能に設けられた開閉ドアー２０との間に介設されるスイッチ構造３０であり、後処理装置１０は、永久磁石６２を備えたマグネットキャッチ６０と、開閉ドアー２０の閉止でオン動作するインターロックスイッチ５０を有し、開閉ドアー２０には、マグネットキャッチ６０に吸着された状態でインターロックスイッチ５０をオン動作させる操作部材８０とが備えられ、インターロックスイッチ５０の近傍には、開閉ドアー２０が閉止される直前に開閉ドアー２０が開放する方向に向けて付勢するコイルスプリング７３が設けられている。【選択図】      図５
2006328892.tif 000002
【特許請求の範囲】
【請求項１】
所定の装置の装置本体と、この装置本体に開閉可能に設けられた開閉ドアーとの間に介設されるスイッチ構造であって、
前記装置本体と前記開閉ドアーとの間には、開閉ドアーの閉止状態を維持させるドアー閉止維持手段が介設され、
前記装置本体には、前記開閉ドアーの閉止でオン動作する安全スイッチが備えられ、
前記開閉ドアーには、前記ドアー閉止維持手段により当該開閉ドアーの閉止が維持された状態で前記安全スイッチを押圧してオン動作させる操作部材が備えられ、
前記安全スイッチの近傍には、前記開閉ドアーが閉止される直前に当該開閉ドアーを開放する方向に向けて付勢する付勢手段が設けられていることを特徴とするスイッチ構造。
【請求項２】
前記ドアー閉止維持手段は、前記装置本体側に設けられた永久磁石を備えてなるマグネットキャッチと、磁性材料によって形成された前記操作部材とによって構成されていることを特徴とする請求項１記載のスイッチ構造。
【請求項３】
前記付勢手段は、前記操作部材を付勢するものであることを特徴とする請求項１または２記載のスイッチ構造。
【請求項４】
前記装置本体側に設けられた所定の支持軸回りに回動可能に軸支され、かつ、前記付勢手段の付勢力によって前記操作部材を前記安全スイッチから離間させる方向に付勢する回動体が設けられていることを特徴とする請求項３記載のスイッチ構造。
【請求項５】
前記装置は、予め所定の処理が施された用紙に対して所定の後処理を施す後処理装置であることを特徴とする請求項１乃至４のいずれかに記載のスイッチ構造。
【請求項６】
前記装置は、所定の画像情報に基づいて所定の画像形成処理を施す画像形成装置であることを特徴とする請求項１乃至４のいずれかに記載のスイッチ構造。
【発明の詳細な説明】
【技術分野】
【０００１】
本発明は、所定の装置において装置本体に設けられた開閉ドアーが確実に閉止されなかったときには、当該開閉ドアーの閉止により所定の信号を出力するスイッチが動作しないように構成されたスイッチ構造に関するものである。
【背景技術】
【０００２】
本発明の背景技術に関し、本発明に係る装置として画像形成装置に接続される後処理装置を例に挙げて説明する。
【０００３】
画像形成装置は、所定の読取り装置で読み取ったり（複写機の場合）、外部から電送されてきたり（ファクシミリ装置やスキャナの場合）した画像情報に基づき画像を形成して所定の用紙へ転写するものであり、転写後の用紙は、所定の定着処理が施された後に直接排出されたり、後処理装置を介して排出されたりするようになっている。
【０００４】
後処理装置は、画像形成装置での転写処理後の用紙を受入れて当該用紙に対し綴結孔を穿孔する、いわゆるパンチング処理や、複数枚の用紙が一時的にストックされることにより形成された用紙束を綴結針で綴結処理する、いわゆるステイプル処理等を施すものであり、内部に複雑に構成された各種の機械機器や電気機器が装着されている。
【０００５】
かかる後処理装置には、通常、正面側に開閉ドアーが設けられ、定期的なメンテナンス作業のときや、紙詰り（ジャム）が発生したときなどに開放されるようになっている。かかる開閉ドアーの閉止状態は、後処理装置の装置本体側に設けられた永久磁石を備えてなるマグネットキャッチへ開閉ドアー側に設けられた磁性板が吸着されることによって確保されるようになっているのが一般的である。
【０００６】
そして、開閉ドアーが確実に閉止されない状態で後処理装置が稼働されると、内部の各種の機器に不具合の生じることがあるため、後処理装置の装置本体側にリミットスイッチやマイクロスイッチ等からなる安全スイッチが設けられる一方、開閉ドアー側に安全スイッチを動作させる操作部材が設けられ、開閉ドアーが閉止されることによって安全スイッチが操作部材によりスイッチオンされて後処理装置が稼働可能状態になるようになされている。
【０００７】
ところで、画像形成装置に関して開閉ドアーの確実な閉止状態を確保するべく、マグネットキャッチおよび安全スイッチを採用したものとして特許文献１に記載のものが知られている。この特許文献１に記載のものは、開閉ドアー開放後のメンテナンス操作等で内部の機器に所定の操作を施した場合、機器が元の状態に復元されていない状態では開閉ドアーが所定の部材に干渉し、これにより開閉ドアーを閉止することができなくなって操作部材による安全スイッチのオン操作が行い得なくなるというものである。
【特許文献１】特開平２−１５１８８０号公報
【発明の開示】
【発明が解決しようとする課題】
【０００８】
しかしながら、特許文献１に記載のものにあっては、開閉ドアーを閉止することにより操作部材が安全スイッチをオン操作した状態であっても、マグネットキャッチが取り付け公差等の関係で開閉ドアーの磁性板を吸着していない場合がある。こうなると、開閉ドアーは、確実に閉止されていない、いわゆる半ドアーになっているにも拘らずに安全スイッチがオン状態になっているため、対象装置（特許文献１では画像形成装置）が稼働されてしまうことがあるという問題点が存在する。
【０００９】
本発明は、かかる従来の問題点を解消するためになされたものであって、装置本体側のマグネットキャッチが開閉ドアー側の磁性板を確実に吸着した状態のとき以外は、安全スイッチがオンしないようにし、これによって開閉ドアーが半ドアー状態で装置本体が稼働可能状態になることを確実に防止することができるスイッチ構造を提供することを目的としている。
【課題を解決するための手段】
【００１０】
請求項１記載の発明は、所定の装置の装置本体と、この装置本体に開閉可能に設けられた開閉ドアーとの間に介設されるスイッチ構造であって、前記装置本体と前記開閉ドアーとの間には、開閉ドアーの閉止状態を維持させるドアー閉止維持手段が介設され、前記装置本体には、前記開閉ドアーの閉止でオン動作する安全スイッチが備えられ、前記開閉ドアーには、前記ドアー閉止維持手段により当該開閉ドアーの閉止が維持された状態で前記安全スイッチを押圧してオン動作させる操作部材が備えられ、前記安全スイッチの近傍には、前記開閉ドアーが閉止される直前に当該開閉ドアーを開放する方向に向けて付勢する付勢手段が設けられていることを特徴とするものである。
【００１１】
かかる構成によれば、所定の装置本体の開閉ドアーを閉止することにより、開閉ドアーは、当該開閉ドアーと装置本体との間に介設されたドアー閉止維持手段によって閉止状態が維持されるとともに、開閉ドアーの閉止時に操作部材が安全スイッチを押圧し、これによって安全スイッチが所定のオン動作を行うため、装置は、このオン動作によって装置を稼働可能状態にする等の所定の状態になる。
【００１２】
そして、安全スイッチの近傍には、開閉ドアーが閉止される直前に当該開閉ドアーを開放する方向に向けて付勢する付勢手段が設けられているため、開閉ドアーを閉止していくと、当該開閉ドアーが完全に閉止されるまでに付勢手段の付勢力によって開閉ドアーが開放方向に向けて押圧され、これによって開閉ドアーは、付勢手段の付勢力より大きな力で押圧しなければ操作部材がマグネットキャッチに吸着された完全閉止状態にならない。
【００１３】
従って、開閉ドアーが完全に閉止されない、いわゆる半ドアー状態になっているときには、操作部材が安全スイッチを押圧操作することがないため、開閉ドアーが完全に閉止されていないにも拘らず安全スイッチがオン動作を行ってしまうような不都合の発生が確実に防止される。
【００１４】
請求項２記載の発明は、請求項１記載の発明において、前記ドアー閉止維持手段は、前記装置本体側に設けられた永久磁石を備えてなるマグネットキャッチと、磁性材料によって形成された前記操作部材とによって構成されていることを特徴とするものである。
【００１５】
かかる構成によれば、開閉ドアーを閉止することにより、この開閉ドアーに設けられた操作部材が装置本体側に設けられたマグネットキャッチに吸着され、これによって開閉ドアーの閉止状態が維持される。
【００１６】
このように、ドアー閉止維持手段を開閉ドアー側に設けられた磁性材料製の操作部材と、装置本体側に設けられたマグネットキャッチとで構成することにより、ドアー閉止維持手段を簡単な構造のものにした上で、開閉ドアーの確実な閉止状態が確保される。
【００１７】
請求項３記載の発明は、請求項１または２記載の発明において、前記付勢手段は、前記操作部材を付勢するものであることを特徴とするものである。
【００１８】
かかる構成によれば、開閉ドアーを閉止すると、付勢手段が開閉扉に設けられた操作部材を付勢するため、開閉ドアーは、この付勢手段の付勢力によって開放方向に向けて付勢される。
【００１９】
請求項４記載の発明は、請求項３記載の発明において、前記装置本体側に設けられた所定の支持軸回りに回動可能に軸支され、かつ、前記付勢手段の付勢力によって前記操作部材を前記安全スイッチから離間させる方向に付勢する回動体が設けられていることを特徴とするものである。
【００２０】
かかる構成によれば、開閉ドアーを閉止することにより、当該開閉ドアーに設けられた操作部材は、付勢手段の付勢力に抗して回動体を支持軸回りに回動させつつ安全スイッチをオン動作させるように機能する。そして、開閉ドアーが完全に閉止されていない、いわゆる半ドアーになったときには、回動体が付勢手段の付勢力により支持軸回りに回動して操作部材を外方に向かって押圧するため、操作部材は安全スイッチから離間し、これによって開閉ドアーが完全に閉止されていないにも拘らず安全スイッチがオン動作してしまうような不都合の発生が防止される。
【００２１】
このように、操作部材を押し戻すための構造として付勢手段の付勢力で支持軸回りに回転する回動体を採用することにより、簡単な構造でありながら操作部材に対して付勢手段の付勢力を確実に付与することが可能になる。
【００２２】
請求項５記載の発明は、請求項１乃至４のいずれかに記載の発明において、前記装置は、予め所定の処理が施された用紙に対して所定の後処理を施す後処理装置であることを特徴とするものである。
【００２３】
かかる構成によれば、開閉ドアーが完全に閉止されていないにも拘らずに安全スイッチのオン動作で後処理装置が稼働可能状態になるような不都合の発生が防止される。
【００２４】
請求項６記載の発明は、請求項１乃至４のいずれかに記載の発明において、前記装置は、所定の画像情報に基づいて所定の画像形成処理を施す画像形成装置であることを特徴とするものである。
【００２５】
かかる構成によれば、開閉ドアーが完全に閉止されていないにも拘らずに安全スイッチのオン動作で画像形成装置が稼働可能状態になるような不都合の発生が防止される。
【発明の効果】
【００２６】
請求項１記載の発明によれば、安全スイッチの近傍には開閉ドアーが閉止される直前に当該開閉ドアーを開放する方向に向けて付勢する付勢手段が設けられているため、開閉ドアーが完全に閉止されない、いわゆる半ドアー状態になっているときに操作部材が安全スイッチを押圧操作することがなく、従って、開閉ドアーが完全に閉止されていないにも拘らず安全スイッチがオン動作を行ってしまうような不都合の発生を確実に防止することができる。
【００２７】
請求項２記載の発明によれば、ドアー閉止維持手段が開閉ドアー側に設けられた磁性材料製の操作部材と、装置本体側に設けられたマグネットキャッチとによって構成されているため、ドアー閉止維持手段を簡単な構造のものにした上で、開閉ドアーの確実な閉止状態を確保することができる。
【００２８】
請求項３記載の発明によれば、付勢手段は、開閉ドアーに設けられた操作部材を付勢するようになっているため、開閉ドアーを閉止することで付勢手段が操作部材を付勢し、これによって開閉ドアーを付勢手段の付勢力以上の力で押圧しなければ閉止させられないようにすることができる。
【００２９】
請求項４記載の発明によれば、操作部材を押し戻すための構造として付勢手段の付勢力で支持軸回りに回転する回動体が採用されているため、簡単な構造でありながら操作部材に対して付勢手段の付勢力を確実に付与することができる。
【００３０】
請求項５記載の発明によれば、開閉ドアーが完全に閉止されていないにも拘らずに安全スイッチのオン動作で後処理装置が稼働可能状態になるような不都合の発生を確実に防止することができる。
【００３１】
請求項６記載の発明によれば、開閉ドアーが完全に閉止されていないにも拘らずに安全スイッチのオン動作で画像形成装置が稼働可能状態になるような不都合の発生を確実に防止することができる。
【発明を実施するための最良の形態】
【００３２】
図１および図２は、本発明に係るスイッチ構造が適用された後処理装置の一実施形態を示す外観斜視図であり、図１は、開閉ドアーが閉止された状態、図２は、開閉ドアーが開放された状態をそれぞれ示している。なお、図１および図２において、Ｘ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００３３】
図１および図２に示すように、後処理装置１０は、画像形成装置１９の下流側（図１の左方）の側面に接続されて当該画像形成装置１９から排出される転写処理済みの用紙に対し所定の後処理を施すものであり、箱形を呈した装置本体１１内に用紙に対して綴結孔であるパンチングホールを穿孔するパンチング処理部１２や、その下部に設けられて用紙束に綴結処理を施すステイプル処理部１３等が設けられている。
【００３４】
前記装置本体１１の右側面１１１には、上下方向の中央部より若干上方位置に画像形成装置１９から排出された用紙を受入れるための用紙受入れ開口１１２が設けられ、この用紙受入れ開口１１２を介して装置本体１１内に導入された用紙は、前記パンチング処理部１２やステイプル処理部１３で所定の処理が施された後、装置本体１１の左側面に設けられた排出トレー１１３へ向けて排出されるようになっている。
【００３５】
前記排出トレー１１３は、上下２段で形成され、下段のメイントレー１１３ａと、上段のサブトレー１１３ｂとを備えている。前記メイントレー１１３ａには、ステイプル処理部１３においてステイプル処理の施された用紙束が排出される一方、前記サブトレー１１３ｂには、パンチング処理部１２においてパンチング処理のみが施された用紙が１枚ずつ排出されるようになっている。
【００３６】
前記パンチング処理部１２は、図２に示すように、用紙受入れ開口１１２の直ぐ下流側（左方位置）に設定されている。かかるパンチング処理部１２には上下動する穿孔用のパンチングロッドを備えたパンチングマシン１２１が設けられ、このパンチングマシン１２１に導入された用紙は、一時停止させられたのちパンチングロッドの上下動で所定の位置にパンチングホールが穿孔されるようになっている。
【００３７】
前記ステイプル処理部１３は、装置本体１１の中央部に設定されている。かかるステイプル処理部１３には、図２に示すように、装置本体１１内の左上から右下に向かって斜めに配設された中間トレー１３１と、この中間トレー１３１の上面側に対向配置された蓋体１３２とが配設され、これら中間トレー１３１と蓋体１３２との隙間に一時貯留された複数枚の用紙（用紙束）に対して所定のステイプラーによるステイプル処理が施されるようになっている。ステイプル処理の完了した用紙束は、図略の昇降手段の駆動で中間トレー１３１に沿って上昇され、メイントレー１１３ａへ排出されることになる。
【００３８】
そして、装置本体１１には、前面より若干奥まった位置に正面板１１４（図２）が設けられ、この正面板１１４には、前記パンチング処理部１２やステイプル処理部１３等の内装機器の正面視の形状に沿うようにメンテナンス開口１１４ａが設けられている。前記パンチングマシン１２１や中間トレー１３１等は、このメンテナンス開口１１４ａを介して外部に引き出し可能になっており、引き出された状態で紙詰りの解消や各種のメンテナンス作業が行われるようになっている。
【００３９】
また、装置本体１１における前記正面板１１４のさらに前方位置には、当該正面板１１４の前面を覆い得る開閉ドアー２０が設けられている。この開閉ドアー２０は、一部が前方に向けて若干膨出した平板状のドアー本体２１と、このドアー本体２１の図１における右側縁部から後方に向かって延設された上下方向に延びる右側縁板２２と、同左側縁部から同様に形成された左側縁板２３（図２）と、ドアー本体２１の上縁部から図１における後方に向かって折り曲げられた状態で右側縁板２２および左側縁板２３間に架設された上側縁板２４と、ドアー本体２１の下縁部から図１における後方に向かって折り曲げられた状態で右側縁板２２および左側縁板２３間に架設された下側縁板２５とを備えて構成されている。
【００４０】
前記ドアー本体２１内面側には、横方向および縦方向の双方に亘って所定のリブ２６がそれぞれ設けられ、これらのリブ２６の存在で開閉ドアー２０が強度的に丈夫なものになっている。
【００４１】
かかる開閉ドアー２０は、前記左側縁板２３と、装置本体１１の前方左縁部との間に介設された上下一対の蝶板部材１４を介して装置本体１１に接続され、各蝶板部材１４回りに正逆回動することにより、図１に示す前記メンテナンス開口１１４ａを閉止した閉止姿勢と、前記メンテナンス開口１１４ａを開放した開放姿勢との間で姿勢変更し得るようになっている。
【００４２】
また、前記正面板１１４におけるメンテナンス開口１１４ａの右方上部位置には、上下方向に延びた縁部フレーム１５が設けられ、閉止された開閉ドアー２０の右側縁板２２がこの縁部フレーム１５に当止されるようになされている。かかる縁部フレーム１５の下端部には、前方に向かって突設されたドアー受けガイド１５１が設けられ、開閉ドアー２０が閉止された状態で当該開閉ドアー２０の所定の横リブ２６１がこのドアー受けガイド１５１の上面に載せられるようになっている。こうすることによって閉止された状態の開閉ドアー２０の蝶板部材１４と反対側の縁部が下方へ向けて低下するのを確実に防止し得るようになっている。
【００４３】
そして、このように構成された後処理装置１０において、本発明に係るスイッチ構造３０は、図２の円Ａ内に示す前記縁部フレーム１５の下部位置と、この位置に対応するように図２の円Ｂ内に示す開閉ドアー２０の右側縁板２２の右側位置（図２では開閉ドアー２０が開放されているため前方位置になっている）とにそれぞれ形成されている。
【００４４】
図３および図４は、スイッチ構造３０の一実施形態を示す斜視図であり、図３は、操作部材８０がマグネットキャッチ６０から離間した状態、図４は、操作部材８０がマグネットキャッチ６０に吸着された状態をそれぞれ示している。なお、図３および図４において、（イ）は、正面（前面）側から見た図であり、（ロ）は、裏面（後面）側から見た図である。なお、これらの図において、ＸおよびＹによる方向表示は、図１の場合と同様（Ｘは左右方向（−Ｘ：左方、＋Ｘ：右方）、Ｙは前後方向（−Ｙ：前方、＋Ｙ：後方））である。
【００４５】
図３および図４に示すように、スイッチ構造３０は、装置本体１１の縁部フレーム１５に固定された複合部材４０と、この複合部材４０と対向し、かつ、下端部が横リブ２６１に支持された状態で開閉ドアー２０の裏面側に固定された操作部材（ドアー閉止維持手段）８０とを備えた基本構成を有している。
【００４６】
前記複合部材４０は、平面視でコ字状に折り曲げられることによって形成したＵ字状支持枠体４１内にインターロックスイッチ（安全スイッチ）５０と、前記操作部材８０を吸着するマグネットキャッチ（ドアー閉止維持手段）６０と、前記操作部材８０に対して付勢力を付与する付勢部材７０とが装着されることによって構成されている。
【００４７】
前記Ｕ字状支持枠体４１は、左右方向一対の側板４１１と、これら一対の側板４１１間に架設された前板４１２とを備えて構成され、前板４１２上部が縁部フレーム１５の下端部の裏面（後面）側にねじ止めその他で固定されることにより、前板４１２の略下半分が前方に向けて外部に露出した状態で当該Ｕ字状支持枠体４１が装置本体１１に装着されるようになっている。
【００４８】
前記インターロックスイッチ５０は、開閉ドアー２０が閉止されたか否かを検出するものであって、開閉ドアー２０が閉止されたことによる前記操作部材８０の作用でオン状態となり、このオン状態のインターロックスイッチ５０からの検出信号に基づいて後処理装置１０が稼働可能状態となるようになされている。
【００４９】
かかるインターロックスイッチ５０は、直方体状のスイッチ本体５１と、このスイッチ本体５１の前方に向いた縁面に設けられた板状のストライカー５２とを備えている。かかるインターロックスイッチ５０は、スイッチ本体５１が左側の側板４１１の上部位置にねじ止めその他で固定されることによりＵ字状支持枠体４１に装着されるようになっている。
【００５０】
前記ストライカー５２は、スイッチ本体５１の前縁面における上下方向の中間位置より若干上方位置から前記前縁面と平行にかつ離間状態で垂下されているとともに、下端部がスイッチ本体５１の下端よりさらに下方に突出するように長さ寸法が設定され、これによってストライカー５２の下端部は、Ｕ字状支持枠体４１の前板４１２に設けられた後述する隙間４２からさらに下方に向けて突出した状態になっている。
【００５１】
かかるストライカー５２は、前後方向に向けて撓んだ状態での弾性変形が可能なばね材などの弾性材料によって形成され、下端部に後方へ向かう力が加わることにより後方へ向かって撓むようになっている。この撓みが検出されてインターロックスイッチ５０がオン動作するようになっている。
【００５２】
前記スイッチ本体５１の上部には、図略の信号線をインターロックスイッチ５０に接続するためのコネクタ５３が取り付けられている。
【００５３】
前記マグネットキャッチ６０は、磁気によって開閉ドアー２０に固定された操作部材８０を吸着し、これによって開閉ドアー２０の閉止状態を保持するものである。かかるマグネットキャッチ６０は、Ｕ字状支持枠体４１における前板４１２の下部位置に固定されるケーシング６１と、このケーシング６１に磁極を前方へ向けて突出させた状態で支持された一対の永久磁石６２とを備えて構成されている。前記前板４１２には、マグネットキャッチ６０より若干上方位置に後述する操作部材８０の操作板８２を挿通させるための隙間４２が形成されている。
【００５４】
前記ケーシング６１は、一対の永久磁石６２をそれぞれ保持するための角筒状を呈した一対の磁石保持筒６１１と、各磁石保持筒６１１の上下の面の後縁部から上下に向けて突設された各一対のフランジ部６１２と、各磁石保持筒６１１の上下の面の前縁部から突設された帯状を呈する各一対の係止帯体６１３とを備えている。前記各フランジ部６１２には、折り曲げられた係止帯体６１３を挿通するための挿通孔６１２ａが穿設されている。また、各係止帯体６１３の先端には、返しを備えた矢尻形状の矢尻部６１３ａ（図５参照）が設けられている。
【００５５】
一方、前記前板４１２には前記各上下のフランジ部６１２と対向した位置に貫通孔４３（図５参照）が穿設され、折り曲げられた係止帯体６１３がフランジ部６１２の挿通孔６１２ａを介してこの貫通孔４３に貫通された状態で矢尻部６１３ａが貫通孔４３の縁部に係止されることにより、マグネットキャッチ６０がＵ字状支持枠体４１に固定されるようになっている。
【００５６】
前記永久磁石６２は直方体状を呈し、ケーシング６１の磁石保持筒６１１内に前後方向に向けて僅かな量だけ遊動可能に、かつ、抜止め状態で装着されている。永久磁石６２が遊動可能に磁石保持筒６１１に装着されるのは、永久磁石６２と操作部材８０との間の組み付け誤差を吸収させるためである。
【００５７】
前記付勢部材７０は、図３および図４の（ロ）に示すように、Ｕ字状支持枠体４１の一対の側板４１１間に架設された支持軸７１と、この支持軸７１回りに回動可能に軸支された上下方向に長尺の回動体７２と、この回動体７２を図３および図４の（ロ）における反時計方向に向けて付勢するコイルスプリング（付勢手段）７３とを備えて構成されている。
【００５８】
前記支持軸７１は、Ｕ字状支持枠体４１における各側板４１１の前後方向の略中央位置であって、前記隙間４２の若干下方位置に設けられている。
【００５９】
前記回動体７２は、開閉ドアー２０が閉止されることにより操作部材８０の後述する操作板８２によって押圧される、支持軸７１より上方に位置した第１被押圧部７２１と、前記コイルスプリング７３によって押圧される、支持軸７１より下方に位置した第２被押圧部７２２とからなっている。
【００６０】
前記コイルスプリング７３は、Ｕ字状支持枠体４１の前板４１２と、回動体７２の第２被押圧部７２２との間に圧縮状態で介設され、これによって回動体７２を支持軸７１回りに図３の（ロ）における反時計方向へ向けて付勢力を付与するようになっている。
【００６１】
前記操作部材８０は、開閉ドアー２０が閉止姿勢に姿勢設定された状態で前記永久磁石６２に吸着させるとともに、前記ストライカー５２および前記第１被押圧部７２１を押圧するものであり、下縁部がドアー本体２１の横リブ２６１に支持された状態でドアー本体２１の裏面側にねじ止めその他で固定されるとともに、開閉ドアー２０が閉止された状態で永久磁石６２に磁着される磁着板８１と、この磁着板８１の上縁部からＵ字状支持枠体４１に形成された前記隙間４２に向けて突設された操作板８２とからなっている。
【００６２】
前記操作板８２は、左右幅寸法が前記Ｕ字状支持枠体４１の隙間４２に嵌り込み得るように寸法設定されているとともに、長さ寸法（前後方向の寸法）が、開閉ドアー２０を閉止した状態で後縁部の左方位置がインターロックスイッチ５０のストライカー５２を後方へ向かって弾性変形させ、かつ、同右方位置が回動体７２の第１被押圧部７２１を後方に向かって押圧し得るように寸法設定されている。
【００６３】
従って、図３に示すように、開閉ドアー２０が開放された状態（すなわち、操作部材８０の操作板８２が複合部材４０から離間した状態）では、インターロックスイッチ５０のストライカー５２はオフ姿勢に姿勢設定されているとともに、回動体７２は、コイルスプリング７３の付勢力によって第１被押圧部７２１の上端部がＵ字状支持枠体４１の前板４１２に当止した状態になっている。
【００６４】
この状態において、開閉ドアー２０を閉止することにより、操作部材８０の操作板８２がＵ字状支持枠体４１の前板４１２に設けられた隙間４２を通ってＵ字状支持枠体４１内に嵌り込み、インターロックスイッチ５０のストライカー５２を後方に向かって押圧するため、ストライカー５２は、図４の（ロ）に示すように、弾性変形してオフ姿勢からオン姿勢に姿勢変更し、これによる検出信号の出力で後処理装置１０は稼働可能状態になる。
【００６５】
このとき操作板８２は、回動体７２の第１被押圧部７２１を同時に押圧するため、回動体７２は、コイルスプリング７３の付勢力に抗して支持軸７１回りに時計方向に回動することになるが、このときオペレータは、開閉ドアー２０に対して大きな力を加えなければならず、この節度感によって開閉ドアー２０を確実に閉止することができる。
【００６６】
そして、開閉ドアー２０が完全に閉止された状態では、操作部材８０の磁着板８１がマグネットキャッチ６０の永久磁石６２に吸着されるため、開閉ドアー２０の閉止状態が維持される一方、開閉ドアー２０が完全に閉止されない、いわゆる半ドアーの状態では、回動体７２の第１被押圧部７２１が操作板８２を前方に向かって押圧するため、開閉ドアー２０は開放方向に向かって蝶板部材１４（図２）回りに回動し、これによって操作板８２がストライカー５２から離間する。従って、ストライカー５２がオン姿勢になることはない。
【００６７】
図５は、本発明に係るスイッチ構造３０の作用を説明するための正面断面視の説明図であり、（イ）は、開閉ドアー２０が開放されることにより操作部材８０が複合部材４０から離間した状態、（ロ）は、開閉ドアー２０が閉止されることにより操作部材８０の操作板８２がインターロックスイッチ５０のストライカー５２および回動体７２の第１被押圧部７２１の双方を押圧した状態、（ハ）は、開閉ドアー２０が半ドアーになった状態をそれぞれ示している。
【００６８】
まず、図５の（イ）に示す状態では、開閉ドアー２０が開放されることによってストライカー５２および回動体７２に対する操作板８２による押圧が解除された状態になっているため、インターロックスイッチ５０がオフ状態になっているとともに、回動体７２は、コイルスプリング７３の付勢力によって支持軸７１回りに反時計方向に向かう付勢力を受け、これによって第１被押圧部７２１の上端がＵ字状支持枠体４１の前板４１２に当止した状態になっている。
【００６９】
ついで、図５の（イ）に示す状態から開閉ドアー２０を閉止していくと、操作部材８０の操作板８２がインターロックスイッチ５０のストライカー５２および回動体７２の第１被押圧部７２１を後方（図５の右方）に向かって押圧するため、ストライカー５２が後方に向かって撓んでいくとともに、回動体７２は、コイルスプリング７３の付勢力に抗して支持軸７１回りに時計方向に回動する。
【００７０】
そして、開閉ドアー２０が完全に閉止されると、図５の（ロ）に示すように、撓んだストライカー５２がインターロックスイッチ５０をオンした状態になるとともに、回動体７２は、コイルスプリング７３の付勢力に抗して第１被押圧部７２１の先端がＵ字状支持枠体４１の前板４１２から離間した状態になる。このときマグネットキャッチ６０の永久磁石６２が操作部材８０の磁着板８１を吸着している場合には、開閉ドアー２０の閉止状態が維持されることになる。
【００７１】
これに対し、開閉ドアー２０に対する閉止操作が緩くて当該開閉ドアー２０が確実に閉止されなかったいわゆる半ドアー状態になり、これによって永久磁石６２が磁着板８１を吸着していないような場合には、回動体７２がコイルスプリング７３の付勢力によって支持軸７１回りに反時計方向に向けて回動し、これによって操作部材８０の操作板８２が前方に向けて押圧されるため、インターロックスイッチ５０のストライカー５２は、図５の（ハ）に示すように、操作板８２による押圧状態が解消され、これによってインターロックスイッチ５０はオン状態になることがない。
【００７２】
従って、開閉ドアー２０が完全に閉止されずに半ドアー状態になっているにも拘らず、インターロックスイッチ５０がオンされてしまい、半ドアー状態のままで後処理装置１０が稼働可能状態に設定されてしまうような不都合の発生が確実に防止される。
【００７３】
以上詳述したように、本実施形態に係るスイッチ構造３０は、画像形成装置から供給された画像転写処理済みの用紙に対して所定の後処理を施す後処理装置１０と、この後処理装置１０に開閉可能に設けられた開閉ドアー２０との間に介設されるものであり、後処理装置１０には、永久磁石６２を備えたマグネットキャッチ６０と、開閉ドアー２０の閉止でオン動作するインターロックスイッチ５０とが備えられ、開閉ドアー２０には、マグネットキャッチ６０に吸着された状態でインターロックスイッチ５０を押圧してオン動作させる操作部材８０とが備えられ、インターロックスイッチ５０の近傍には、開閉ドアー２０が閉止される直前に開閉ドアー２０を開放する方向に向けて付勢するコイルスプリング７３が設けられている。
【００７４】
かかる構成によれば、後処理装置１０の開閉ドアー２０を閉止することにより、この開閉ドアー２０に設けられた操作部材８０が後処理装置１０側に設けられたマグネットキャッチ６０に吸着され、これによって開閉ドアー２０の閉止状態が確保されるとともに、開閉ドアー２０の閉止時に操作部材８０がインターロックスイッチ５０を押圧し、これによってインターロックスイッチ５０が所定のオン動作を行うため、後処理装置１０は、このオン動作によって後処理装置１０を稼働可能状態にする等の所定の状態になる。
【００７５】
そして、インターロックスイッチ５０の近傍には、開閉ドアー２０が閉止される直前に開閉ドアー２０を開放する方向に向けて付勢するコイルスプリング７３が設けられているため、開閉ドアー２０を閉止していくと、当該開閉ドアー２０が完全に閉止されるまでにコイルスプリング７３の付勢力によって開閉ドアー２０が開放方向に向けて押圧され、これによって開閉ドアー２０は、コイルスプリング７３の付勢力より大きな力で押圧しなければ操作部材８０がマグネットキャッチ６０に吸着された完全閉止状態にならない。
【００７６】
従って、開閉ドアー２０が完全に閉止されない、いわゆる半ドアー状態になっているときに操作部材８０がインターロックスイッチ５０を押圧操作することがなく、従って、開閉ドアー２０が完全に閉止されていないにも拘らずインターロックスイッチ５０がオン動作を行ってしまうような不都合の発生を確実に防止することができる。
【００７７】
そして、コイルスプリング７３は、操作部材８０を付勢するようになっているため、開閉ドアー２０を閉止することでコイルスプリング７３が操作部材８０を付勢し、これによって開閉ドアー２０をコイルスプリング７３の付勢力以上の力で押圧しなければ閉止させられないようにすることができる。
【００７８】
また、後処理装置１０側に設けられたＵ字状支持枠体４１の支持軸７１回りに回動可能に軸支され、かつ、コイルスプリング７３の付勢力によって操作部材８０をインターロックスイッチ５０から離間させる方向に付勢する回動体７２が設けられているため、開閉ドアー２０を閉止することにより、当該開閉ドアー２０に設けられた操作部材８０は、コイルスプリング７３の付勢力に抗して回動体７２を支持軸７１回りに回動させつつインターロックスイッチ５０をオン動作させるように機能する。そして、開閉ドアー２０が完全に閉止されていない、いわゆる半ドアーになったときには、回動体７２がコイルスプリング７３の付勢力により支持軸７１回りに回動して操作部材８０を外方に向かって押圧するため、操作部材８０はインターロックスイッチ５０から離間し、これによって開閉ドアー２０が完全に閉止されていないにも拘らずインターロックスイッチ５０がオン動作してしまうような不都合の発生が防止される。
【００７９】
このように、操作部材８０を押し戻すための構造としてコイルスプリング７３の付勢力で支持軸７１回りに回転する回動体７２が採用されているため、簡単な構造でありながら操作部材８０に対してコイルスプリング７３の付勢力を安定した状態で確実に付与することができる。また、操作部材８０に与える付勢力の強さを、回動体７２の寸法設定によって（具体的には第２被押圧部７２２の長さ寸法を種々設定することによって）、付勢力の強さを種々調節することができるため、スイッチ構造３０を汎用性に富んだものにすることができる。
【００８０】
本発明は上記の実施形態に限定されるものではなく、以下の内容をも包含するものである。
【００８１】
（１）上記の実施形態においては、本発明に係るスイッチ構造３０が後処理装置１０に適用されているが、本発明は、スイッチ構造３０が後処理装置１０へ適用されることに限定されるものではなく、所定の画像情報に基づいて所定の画像形成処理を施す画像形成装置に本発明に係るスイッチ構造３０を適用してもよいし、その他、開閉ドアーの開閉動作との関連で稼働、非稼働が設定される各種の装置に適用することができる。
【００８２】
（２）上記の実施形態においては、後処理装置１０として画像形成装置１９に接続され、当該画像形成装置１９から排出された転写処理済みの用紙に対してパンチング処理やステイプル処理を施すものが採用されているが、本発明は、後処理装置１０が画像形成装置１９に接続されるものに限定されるものではなく、通常の印刷機や、多数の用紙を頁順に揃えるソーター等の各種の装置の下流側に接続するものであってもよい。
【００８３】
（３）上記の実施形態においては、回動体７２に付勢力を付与する付勢手段としてコイルスプリング７３が採用されているが、本発明は、付勢手段がコイルスプリング７３であることに限定されるものではなく、板ばねや渦巻きばね等、各種の付勢手段を採用することができる。
【００８４】
（４）上記の実施形態においては、インターロックスイッチ５０としてオン・オフ動作するストライカー５２を備えたものが採用されているが、本発明は、インターロックスイッチ５０がストライカー方式のものであることに限定されるものではなく、発光素子および受光素子を備えてなる光センサを採用してもよい。光センサを採用した場合には、開閉ドアー２０が閉止された状態で操作板８２が発光素子から受光素子に向かう光を遮断するようにすればよい。
【００８５】
（５）上記の実施形態においては、ドアー閉止維持手段として装置本体１１側に設けられた永久磁石６２を備えてなるマグネットキャッチ６０と、開閉ドアー２０側に設けられた磁性材料製の操作部材８０とによって構成されているが、本発明は、ドアー閉止維持手段がこれらマグネットキャッチ６０と操作部材８０とによって構成されることに限定されるものではなく、例えば、表面に多数の鈎状突起が植設された第１テープと、表面にこれら鈎状突起が係着される多数の逆Ｕ字状突起が植設された第２テープとからなる、いわゆる係着テープによってドアー閉止維持手段を構成してもよい。
【図面の簡単な説明】
【００８６】
【図１】本発明に係るスイッチ構造が適用された後処理装置の一実施形態を示す外観斜視図であり、開閉ドアーが閉止された状態を示している。
【図２】本発明に係るスイッチ構造が適用された後処理装置の一実施形態を示す外観斜視図であり、開閉ドアーが開放された状態を示している。
【図３】スイッチ構造の一実施形態において操作部材がマグネットキャッチから離間した状態を示す斜視図であり、（イ）は、正面側から見た図、（ロ）は、裏面側から見た図である。
【図４】スイッチ構造の一実施形態において操作部材がマグネットキャッチに吸着された状態を示す斜視図であり、（イ）は、正面側から見た図であり、（ロ）は、裏面側から見た図である。
【図５】本発明に係るスイッチ構造の作用を説明するための正面断面視の説明図であり、（イ）は、開閉ドアーが開放されることにより操作部材が複合部材から離間した状態、（ロ）は、開閉ドアーが閉止されることにより操作部材の操作板がインターロックスイッチのストライカーおよび回動体の第１被押圧部の双方を押圧した状態、（ハ）は、開閉ドアーが半ドアーになった状態をそれぞれ示している。
【符号の説明】
【００８７】
１０  後処理装置            １１  装置本体
１１１  右側面              １１２  開口
１１３  排出トレー          １１３ａ  メイントレー
１１３ｂ  サブトレー        １１４  正面板
１１４ａ  メンテナンス開口  １２  パンチング処理部
１２１  パンチングマシン    １３  ステイプル処理部
１３１  中間トレー          １３２  蓋体
１４  蝶板部材              １５  縁部フレーム
１５１  ドアー受けガイド    １９  画像形成装置
２０  開閉ドアー            ２１  ドアー本体
２２  右側縁板              ２３  左側縁板
２４  上側縁板              ２５  下側縁板
２６  リブ                  ２６１  横リブ
３０  スイッチ構造          ４０  複合部材
４１  Ｕ字状支持枠体        ４１１  側板
４１２  前板                ４２  隙間
４３  貫通孔                ５０  インターロックスイッチ（安全スイッチ）
５１  スイッチ本体          ５２  ストライカー
５３  コネクタ              ６０  マグネットキャッチ（ドアー閉止維持手段）
６１  ケーシング            ６１１  磁石保持筒
６１２  フランジ部          ６１２ａ  挿通孔
６１３  係止帯体            ６１３ａ  矢尻部
６２  永久磁石              ７０  付勢部材
７１  支持軸                ７２  回動体
７２１  被押圧部            ７２２  被押圧部
７３  コイルスプリング（付勢手段）
８０  操作部材（ドアー閉止維持手段）
８１  磁着板                ８２  操作板
【図１】
2006328892.tif 000003
【図２】
2006328892.tif 000004
【図３】
2006328892.tif 000005
【図４】
2006328892.tif 000006
【図５】
2006328892.tif 000007